(57)【要約】【課題】カラープリンタに搭載されているいずれの印刷モードにおいても色抜けの発生の有無が正確に反映された色抜け判別用スタンプマークを印刷可能なプリンタドライバを提案すること。【解決手段】プリンタドライバ１のイメージデータ設定記憶手段４２は、色抜け判別用スタンプマーク１８の印刷に用いられる色抜け判別用ビットマップイメージ２０を各印刷モードに対応づけて複数記憶している。印刷モードが指定されると、イメージデータ選択手段４３が印刷モードに対応する色抜け判別用ビットマップイメージ２０を選択して印刷を行なう。各印刷モードでの印刷時に、色抜けの有無を正確に反映した色抜け判別用スタンプマーク２１を印刷できる。【選択図】図３
2008090579.tif 000002
【特許請求の範囲】
【請求項１】
色抜け判別部がその背景部から目視により識別できる印刷状態の場合には印刷時に色抜けが発生したと判別可能な色抜け判別用スタンプマークを、複数の印刷モードを備えたカラープリンタ又はプリンタドライバを用いて印刷するための色抜け判別用スタンプマークの印刷方法において、
前記カラープリンタ又は前記プリンタドライバに設定されている前記印刷モードが第１の印刷モードの場合には、第１の色抜け判別用イメージデータを用いて前記色抜け判別用スタンプマークを印刷し、
前記カラープリンタ又は前記プリンタドライバに設定されている前記印刷モードが第２の印刷モードの場合には、第２の色抜け判別用イメージデータを用いて前記色抜け判別用スタンプマークを印刷することを特徴とする色抜け判別用スタンプマークの印刷方法。
【請求項２】
請求項１において、
前記第１および第２の色抜け判別用イメージデータを予め作成し、前記第１および第２の印刷モードに対応付けした形態で記憶保持しておくことを特徴とする色抜け判別用スタンプマークの印刷方法。
【請求項３】
請求項１または２において、
印刷モード毎に異なる前記色抜け判別用イメージデータを用いて前記色抜け判別用スタンプマークを印刷することを特徴とする色抜け判別用スタンプマークの印刷方法。
【請求項４】
請求項１ないし３のうちのいずれかの項において、
前記カラープリンタがアプリケーションから受け取った印刷データを印刷する際に、当該印刷データと共に前記色抜け判別用スタンプマークを印刷することを特徴とする色抜け判別用スタンプマークの印刷方法。
【請求項５】
請求項４において、
前記印刷データの印刷時に、操作者に、印刷媒体の種類と、解像度および／または印刷速度とを選択することにより前記印刷モードを指定させ、
前記印刷モードが指定されると、指定された当該印刷モードに対応付けされている前記色抜け判別用イメージデータを選択し、
選択された前記色抜け判別用イメージデータを用いて前記色抜け判別用スタンプマークを印刷することを特徴とする色抜け判別用スタンプマークの印刷方法。
【請求項６】
請求項１ないし５のうちのいずれかの項において、
前記色抜け判別用スタンプマークの前記色抜け判別部は、前記カラープリンタに搭載されている複数の色インクのうちの第１の色インクを用いて印刷され、前記背景部は、当該第１の色インク以外の各色インクのそれぞれを用いて印刷され、
色抜けが無い場合には、前記色抜け判別部と前記背景部の印刷色は目視により識別できない同一色になり、色抜けが発生した場合には、これらの印刷色は目視により識別可能な異なる色になることを特徴とする色抜け判別用スタンプマークの印刷方法。
【請求項７】
請求項１ないし５のうちのいずれかの項において、
前記色抜け判別用スタンプマークの前記背景部は、前記カラープリンタに搭載されている複数の色インクのうちの第１の色インクを用いて印刷され、前記色抜け判別部は、当該第１の色インク以外の各色インクのそれぞれを用いて印刷され、
色抜けが無い場合には、前記色抜け判別部と前記背景部の印刷色は目視により識別できない同一色になり、色抜けが発生した場合には、これらの印刷色は目視により識別可能な異なる色になることを特徴とする色抜け判別用スタンプマークの印刷方法。
【請求項８】
請求項１ないし７のうちのいずれかの項において、
前記カラープリンタはインクジェットプリンタであることを特徴とする色抜け判別用スタンプマークの印刷方法。
【請求項９】
請求項３に記載の印刷方法を用いてカラープリンタを駆動制御するプリンタドライバであって、
各印刷モードに割り当てた各色抜け判別用イメージデータを、各印刷モードに対応付けした形態で記憶保持するイメージデータ設定記憶手段と、
前記カラープリンタにおけるアプリケーションから受け取った印刷データの印刷モードに対応する前記色抜け判別用イメージデータを、前記イメージデータ設定記憶手段から選択するイメージデータ選択手段と、
前記印刷データの印刷と重ね合わせて印刷媒体の所定の位置に前記色抜け判別用スタンプマーク印刷が印刷されるように、前記印刷データおよび、選択した前記色抜け判別用イメージデータを合成して合成印刷データを生成する印刷データ生成手段と、
前記合成印刷データの印刷を行なうために前記カラープリンタの駆動を制御する駆動制御手段とを有していることを特徴とするプリンタドライバ。
【請求項１０】
請求項９において、
前記印刷データの印刷時に、印刷媒体の種類と、解像度および／または印刷速度とを選択することにより前記印刷モードを指定させる印刷モード指定画面を表示し、当該印刷モード指定画面上において前記印刷モードを指定するための入力を行わせる印刷モード設定手段を有し、
前記印刷モードが指定されると、前記イメージデータ選択手段は、指定された当該印刷モードに対応付けされている前記色抜け判別用イメージデータを選択することを特徴とするプリンタドライバ。
【請求項１１】
請求項９または１０において、
前記色抜け判別用スタンプマークは、前記カラープリンタに搭載されている複数の色インクのうちの第１の色インクを用いて印刷された前記色抜け判別部と、当該第１の色インク以外の各色インクのそれぞれを用いて印刷された前記背景部とを備えたものであり、
色抜けが無い場合には、前記色抜け判別部と前記背景部の印刷色は目視により識別できない同一色になり、色抜けが発生した場合には、これらの印刷色は目視により識別可能な異なる色になることを特徴とするプリンタドライバ。
【請求項１２】
請求項９または１０において、
前記色抜け判別用スタンプマークは、前記カラープリンタに搭載されている複数の色インクのうちの第１の色インクを用いて印刷された前記背景部と、当該第１の色インク以外の各色インクのそれぞれを用いて印刷された前記色抜け判別部とを備えたものであり、
色抜けが無い場合には、前記色抜け判別部と前記背景部の印刷色は目視により識別できない同一色になり、色抜けが発生した場合には、これらの印刷色は目視により識別可能な異なる色になることを特徴とするプリンタドライバ。
【請求項１３】
請求項９ないし１２のうちのいずれかの項において、
前記色抜け判別用イメージデータは、前記色抜け判別部として印刷される色抜け判別部分と、前記背景部として印刷される背景部分とを備えている色抜け判別用ビットマップイメージであることを特徴とするプリンタドライバ。
【請求項１４】
請求項９ないし１３のうちのいずれかの項において、
前記カラープリンタはインクジェットプリンタであることを特徴とするプリンタドライバ。
【発明の詳細な説明】
【技術分野】
【０００１】
本発明は、複数の印刷モードを備えたカラープリンタにおいて、各印刷モードでの印刷時における色抜けを正確に判別できる色抜け判別用スタンプマークを印刷可能な色抜け判別用スタンプマークの印刷方法およびプリンタドライバに関する。
【背景技術】
【０００２】
アプリケーションソフトで作成された印刷データをコンピュータに接続されたカラープリンタで印刷する際に、印刷データの印刷に重ね合わせて、その取り扱いを示す「マル秘」、「重要」、「至急」、「CONFIDENTIAL」等のスタンプマークが印刷されることがある。このようなスタンプマークの印刷機能は、カラープリンタを駆動制御して、アプリケーションソフトから受け取った印刷データを印刷するプリンタドライバによって提供されている（特許文献１参照）。また、このようなスタンプマークは、印刷データと予め用意してあるスタンプマークのイメージデータとを合成して最終的な印刷データを生成した後に、印刷されている（特許文献２参照）。
【０００３】
スタンプマークの中には、インクジェット方式のカラープリンタに搭載されている複数の色インクが正常に使用されているか否かを判別するために用いられる色抜け判別用スタンプマークがある。色抜け判別用スタンプマークは、例えば、所定の印刷領域に「ＮＧ」の文字からなる色抜け判別部をブラックの色インクで印刷し、この印刷領域における色抜け判別部を除く背景部が、色抜け判別部と同一の印刷色の黒色または灰色となるように、シアン、マゼンダ、イエローの３色の色インクを重ねて（いわゆるコンポジットブラック）印刷したものである。ブラック、シアン、マゼンダ、イエローの全ての色インクが正常に使用されて印刷が行なわれている場合には、色抜け判別部の印刷色と背景部の印刷色が同一の印刷色となるので「ＮＧ」の文字を目視することができないが、それらの色インクのうちの少なくとも一つの色インクが使用されない状態、すなわち、色抜けが発生した状態で印刷が行なわれると、色抜け判別部の印刷色と背景部の印刷色とが異なる印刷色で印刷されて「ＮＧ」の文字が目視できるようになるので、色抜けの判別が可能になっている。
【０００４】
色抜け判別用スタンプマークを予め用意したイメージデータによって印刷する場合には、色抜け判別用イメージデータとして色抜け判別用ビットマップイメージを用意して、スタンプマーク色抜け判別部として印刷される色抜け判別用ビットマップイメージの色抜け判別部分を構成する画素をブラックの色インクで印刷される画素とするとともに、背景部として印刷される色抜け判別用ビットマップイメージの背景部分を構成する画素をシアン、マゼンダ、イエローの３色を用いて印刷される画素としておいて、双方の画素が同一の印刷色で印刷されるものに規定しておけばよい。
【特許文献１】特許第３４１９３２０号公報
【特許文献２】特開平８−１８７６７号公報
【発明の開示】
【発明が解決しようとする課題】
【０００５】
カラープリンタには、印刷用紙の種類や解像度、印刷速度によって最適化された複数の印刷モードが搭載されており、それら複数の印刷モードの中から一の印刷モードが選択されて、印刷が行なわれるようになっている。インクジェット方式のカラープリンタにおけるこれら複数の印刷モードの例としては、印刷用紙の種類別に、普通紙印刷モード、専用ファイン紙印刷モード、専用マット紙印刷モードがあり、それぞれの印刷モードについて、画質優先の印刷モード、速度優先の印刷モードを備えているものもある。
【０００６】
ここで、予め用意した色抜け判別用ビットマップイメージに基づいて色抜け判別用スタンプマークを印刷すると、ある印刷モードでは色抜け判別部分の画素の印刷色と背景部分の画素の印刷色とが同一色になるが、それとは異なる印刷モードで印刷すると、解像度やショット数が異なるために、色抜け判別部分の画素の印刷色と背景部分の画素の印刷色とが一致しない場合がある。
【０００７】
例えば、予め用意してある一の色抜け判別用ビットマップイメージに基づいて、普通紙印刷モードでかつ速度優先の印刷モードで色抜け判別用スタンプマークを印刷すると、色抜け判別部分の画素の印刷色と背景部分の画素の印刷色とが一致して、色抜け判別用スタンプマークは全体が単一の印刷色である黒色で印刷される。しかし、専用ファイン紙印刷モードでかつ画質優先の印刷モードを設定した場合には背景部分の画素の印刷色が有彩色になってしまい、実際には色抜けが発生していないにもかかわらず「ＮＧ」の文字が判別可能になって色抜けが発生していると判定されてしまうという問題が発生する。
【０００８】
本発明の課題は、このような点に鑑みて、カラープリンタ又はプリンタドライバに搭載されているいずれの印刷モードにおいても色抜けの発生の有無が正確に反映された色抜け判別用スタンプマークを印刷可能な色抜け判別用スタンプマークの印刷方法を提案することにある。
【０００９】
また、本発明の課題は、かかる印刷方法によって、複数の印刷モードを備えたカラープリンタを駆動制御して色抜け判別用スタンプマークを印刷するためのプリンタドライバを提案することにある。
【課題を解決するための手段】
【００１０】
上記の課題を解決するために、本発明は、色抜け判別部がその背景部から目視により識別できる印刷状態の場合には印刷時に色抜けが発生したと判別可能な色抜け判別用スタンプマークを、複数の印刷モードを備えたカラープリンタ又はプリンタドライバを用いて印刷するための色抜け判別用スタンプマークの印刷方法において、前記カラープリンタ又は前記プリンタドライバに設定されている前記印刷モードが第１の印刷モードの場合には、第１の色抜け判別用イメージデータを用いて前記色抜け判別用スタンプマークを印刷し、前記カラープリンタ又は前記プリンタドライバに設定されている前記印刷モードが第２の印刷モードの場合には、第２の色抜け判別用イメージデータを用いて前記色抜け判別用スタンプマークを印刷することを特徴とする。
【００１１】
本発明によれば、カラープリンタ又はプリンタドライバに設定されている印刷モードに対応した色抜け判別用イメージデータを選択して色抜け判別用スタンプマークが印刷される。各印刷モードにおける色抜けの有無が正確に反映されるように、各印刷モードに対応付けした色抜け判別用イメージデータを作成しておくことにより、各印刷モードでの色抜け判別を正確に行うことができる。
【００１２】
本発明では、前記第１および第２の色抜け判別用イメージデータを予め作成し、前記第１および第２の印刷モードに対応付けした形態で記憶保持しておくことができる。各印刷モードで使用する色抜け判別用イメージデータを関数等を用いて動的に生成することもできるが、予め色抜け判別用イメージデータを作成しておいて、それを各印刷モードに対応づけて記憶しておけば、色抜け判別用スタンプマークの印刷が容易である。
【００１３】
本発明では、印刷モード毎に異なる前記色抜け判別用イメージデータを用いて前記色抜け判別用スタンプマークを印刷することができる。すなわち、各印刷モードに、一対一に対応する色抜け判別用イメージデータを作成しておくことができる。
【００１４】
本発明において、色抜け判別用イメージデータのみを印刷する代わりに、前記カラープリンタがアプリケーションから受け取った印刷データを印刷する際に、当該印刷データと共に前記色抜け判別用スタンプマークを印刷することもできる。このようにすれば、アプリケーションから受け取った印刷データの印刷時における色抜けがリアルタイムで正確に反映された色抜け判別用スンタプマークを印刷できる。
【００１５】
この場合には、前記印刷データの印刷時に、操作者に、印刷媒体の種類と、解像度および／または印刷速度とを選択することにより前記印刷モードを指定させ、前記印刷モードが指定されると、指定された当該印刷モードに対応付けされている前記色抜け判別用イメージデータを選択し、選択された前記色抜け判別用イメージデータを用いて前記色抜け判別用スタンプマークを印刷するようにすればよい。
【００１６】
前記色抜け判別用スタンプマークとしては次の構成のものを用いることができる。まず、前記色抜け判別部は、前記カラープリンタに搭載されている複数の色インクのうちの第１の色インクを用いて印刷される。前記背景部は、当該第１の色インク以外の各色インクのそれぞれを用いて印刷される。このようにして印刷した色抜け判別用スタンプマークでは、色抜けが無い場合には、前記色抜け判別部と前記背景部の印刷色は目視により識別できない同一色になり、色抜けが発生した場合には、これらの印刷色は目視により識別可能な異なる色になるものになる。
【００１７】
この代わりに、前記背景部を、前記カラープリンタに搭載されている複数の色インクのうちの第１の色インクを用いて印刷し、前記色抜け判別部を、当該第１の色インク以外の各色インクのそれぞれを用いて印刷してもよい。この場合にも、色抜けが無い場合には、前記色抜け判別部と前記背景部の印刷色が目視により識別できない同一色になり、色抜けが発生した場合には、これらの印刷色が目視により識別可能な異なる色になる。
【００１８】
前記カラープリンタとしてインクジェットプリンタを用いることができる。
【００１９】
次に、本発明は、印刷モード毎に異なる前記色抜け判別用イメージデータを用いて前記色抜け判別用スタンプマークを印刷する印刷方法を用いてカラープリンタを駆動制御するプリンタドライバであって、各印刷モードに割り当てた各色抜け判別用イメージデータを、各印刷モードに対応付けした形態で記憶保持するイメージデータ設定記憶手段と、前記カラープリンタにおけるアプリケーションから受け取った印刷データの印刷モードに対応する前記色抜け判別用イメージデータを、前記イメージデータ設定記憶手段から選択するイメージデータ選択手段と、前記印刷データの印刷と重ね合わせて印刷媒体の所定の位置に前記色抜け判別用スタンプマーク印刷が印刷されるように、前記印刷データおよび、選択した前記色抜け判別用イメージデータを合成して合成印刷データを生成する印刷データ生成手段と、前記合成印刷データの印刷を行なうために前記カラープリンタの駆動を制御する駆動制御手段とを有していることを特徴とする。
【００２０】
本発明のプリンタドライバによれば、アプリケーションから受け取った印刷データの印刷と共に色抜け判別用スタンプマークを印刷することができる。また、アプリケーションから受け取った印刷データの印刷モードがいずれの印刷モードに設定されていても、印刷モードに対応する色抜け判別用イメージデータが選択されて、色抜け判別用スタンプマークの印刷に使用されるので、色抜けが発生していない場合には色抜け判別用スタンプマークの色抜け判別部と背景部とが単一の印刷色で印刷されて目視により識別できない印刷状態にすることができる。従って、色抜けが発生していないにもかかわらず、色抜け判別用スタンプマークの色抜け判別部がその背景部から判別可能になってしまい、色抜けが発生していると誤って判定されることがない。さらに、操作者自身が、指定された印刷モードに合わせて使用する色抜け判別用イメージデータを設定する等の煩雑な作業をする必要がない。
【００２１】
本発明において、前記印刷データの印刷時に、印刷媒体の種類と、解像度および／または印刷速度とを選択することにより前記印刷モードを指定させる印刷モード指定画面を表示し、当該印刷モード指定画面上において前記印刷モードを指定するための入力を行わせる印刷モード設定手段を有し、前記印刷モードが指定されると、前記イメージデータ選択手段は、指定された当該印刷モードに対応付けされている前記色抜け判別用イメージデータを選択することが好ましい。このようにすれば、印刷データの印刷モードが指定される際に、指定された印刷モードに対応する色抜け判別用スタンプマークが選択されるので、いずれの印刷モードで印刷データの印刷が行なわれても、色抜けが発生していない場合には色抜け判別用スタンプマークの色抜け判別部と背景部とが単一の印刷色で印刷されて目視により識別できない印刷状態にすることができる。
【００２２】
本発明において、前記色抜け判別用イメージデータとしては、前記色抜け判別部として印刷される色抜け判別部分と、前記背景部として印刷される背景部分とを備えた色抜け判別用ビットマップイメージを用いることができる。このような色抜け判別用ビットマップイメージを用いれば、判別用イメージデータにベクトルデータを用いる場合と比較して、アプリケーションから受け取った印刷データと色抜け判別用イメージデータとを合成し、合成印刷データを生成することが容易である。
【発明の効果】
【００２３】
本発明によれば、カラープリンタに設定されている印刷モードに対応した色抜け判別用イメージデータを選択して色抜け判別用スタンプマークが印刷される。各印刷モードにおける色抜けの有無が正確に反映されるように、各印刷モードに対応付けした色抜け判別用イメージデータを作成しておくことにより、各印刷モードでの色抜け判別を正確に行うことができる。
【発明を実施するための最良の形態】
【００２４】
以下に、図面を参照して、本発明の実施の形態を説明する。
【００２５】
（コンピュータシステム）
図１は、本発明のプリンタドライバを搭載したコンピュータシステム１０を示す構成図である。本例のコンピュータシステム１０は、入出力装置として、ディスプレイ１１、キーボード１２、マウス１３が接続されたコンピュータ１４と、このコンピュータ１４に接続されたカラープリンタ１５を備えている。
【００２６】
コンピュータ１４には、オペレーティングシステム（ＯＳ）１６と、ＯＳ１６上で動作するアプリケーション１７と、カラープリンタ１５に対して印刷モードの設定を含む各種の設定を行なうとともに、アプリケーション１７から出力される印刷データをＯＳ１６を介して受け取って、この印刷データを印刷するためにカラープリンタ１５を駆動制御するプリンタドライバ１が搭載されている。印刷モードは、カラープリンタ１５又はプリンタドライバ１のいずれに備えることもできるが、以下ではカラープリンタ１５に備えるものとして説明する。
【００２７】
カラープリンタ１５はインクジェットプリンタであり、ブラック、シアン、マゼンダ、イエローの４色の色インクを搭載している。また、カラープリンタ１５は印刷用紙の種類に応じた印刷モードとして、普通紙印刷モード、専用ファイン紙印刷モード、専用マット紙印刷モードを搭載している。さらに各印刷モードにおいて、印刷画質を優先して印刷を行なうきれい印刷モードと印刷速度を優先して印刷を行なうはやい印刷モードを備えている。これらの組み合わせからなる第１〜第６までの６つの印刷モードのそれぞれは、互いに印刷時におけるカラープリンタ１５のショット数および／または解像度が相違するものであり、プリンタドライバ１によって設定された一の印刷モードによって、印刷データの印刷を行うようになっている。
【００２８】
プリンタドライバ１は、カラープリンタ１５を駆動制御してアプリケーション１７から受け取った印刷データを印刷する際に、印刷データの印刷に重ね合わせて、印刷用紙１９の所定の位置に、色抜けの発生を容易に判別することができる色抜け判別用スタンプマーク１８の印刷を行なう機能を備えている。
【００２９】
（色抜け判別用スタンプマークおよび色抜け判別用ビットマップイメージ）
ここで、色抜け判別用スタンプマーク１８は、コンピュータ１４の記憶装置に予め記憶されている色抜け判別用ビットマップイメージ２０を用いて印刷される。
【００３０】
図２に示すように、色抜け判別用ビットマップイメージ２０は、カラープリンタ１５に搭載されているブラックの色インクを用いて印刷される画素によって構成されている色抜け判別部分２１と、シアン、マゼンダ、イエローの色インクを用いて印刷される画素によって構成されている背景部分２４とを有している。色抜け判別部分２１は「ＮＧ」の文字２２と「ＮＧ」の文字２２の周りを囲む矩形の枠２３とからなり、背景部分２４は矩形の枠２３の内側であって「ＮＧ」の文字２２を除いた部分である。色抜け判別部分２１を構成する画素と背景部分２４を構成する画素は、色抜けが発生しない状態で印刷された場合には、同一の印刷色になるように規定されている。
【００３１】
本例において、色抜けが発生していない場合の色抜け判別用スタンプマーク１８の印刷状態３０は、色抜け判別部分２１の印刷部である色抜け判別部２１ａと背景部分２４の印刷部である背景部２４ａの印刷色が同色の黒色になる。一方、色抜けが発生した状態で印刷が行なわれると、色抜け判別部２１ａと背景部２４ａとが異なる印刷色になって、「ＮＧ」の文字２２の印刷部２２ａが目視可能になって浮かび上がり、色抜けが発生したことが判別可能になっている。
【００３２】
さらに図２を参照して、ブラック、シアン、マゼンダ、イエローの各色について、色抜けが発生した場合の色抜け判別用スタンプマーク１８の印刷状態を説明する。
【００３３】
ブラックが色抜けした印刷状態３１では、背景部分２４の画素のみが黒色に印刷されて、色抜け判別部分２１を構成する画素は印刷されない。従って、「ＮＧ］の文字２２の印刷部２２ａがラベル面の地色（白色）となって背景部２４ａの黒色から浮かび上がる。
【００３４】
シアンが色抜けした印刷状態３２では、色抜け判別部分２１の画素は黒色に印刷されるが、背景部分２４の画素は黒色ではなく赤色で印刷される。すなわち、色抜け判別部２１ａが黒色、背景部２４ａが赤色となり、「ＮＧ」の文字２２の印刷部２２ａが目視により識別できる。シアン、マゼンダ、イエローを用いて黒色となるように印刷されるはずの背景部分２４の画素が、シアンが色抜けしたために、マゼンダとイエローのみを混色した赤色で印刷されるからである。
【００３５】
マゼンダが色抜けした印刷状態３３では、色抜け判別部分２１の画素は黒色に印刷されるが、背景部分２４の画素は黒色ではなく緑色で印刷される。すなわち、色抜け判別部２１ａが黒色、背景部２４ａが緑色となり、この場合にも「ＮＧ」の文字２２の印刷部２２ａが目視により識別できる。シアン、マゼンダ、イエローを用いて黒色となるように印刷されるはずの背景部分２４の画素が、マゼンダが色抜けしたために、シアンとイエローのみを混色した緑色で印刷されるからである。
【００３６】
イエローが色抜けした印刷状態３４では、色抜け判別部分２１の画素は黒色に印刷されるが、背景部分２４の画素は黒色ではなく青色で印刷される。すなわち、色抜け判別部２１ａが黒色、背景部２４ａが青色となり、この場合にも「ＮＧ」の文字２２の印刷部２２ａが目視により識別できる。シアン、マゼンダ、イエローを用いて黒色となるように印刷されるはずの背景部分２４の画素が、イエローが色抜けしたために、シアンとマゼンダのみを混色した青色で印刷されるからである。
【００３７】
ここで、カラープリンタ１５は６つの印刷モードを備えており、各印刷モードは、それぞれショット数および／または解像度が相違している。この場合に、色抜け判別用ビットマップイメージ２０の背景部分２４の画素を、マゼンダ、シアン、イエローの各色インクを同一の混合比率で重ねて印刷される画素に規定しておいても、印刷モードによっては所望の黒色の印刷色が得られずに、有彩色で印刷されてしまうことがある。この場合には、色抜けが発生していないにもかかわらず、「ＮＧ」の文字２２の印刷部２２ａが目視で識別できてしまうという問題が発生する。
【００３８】
そこで、６つの印刷モードのそれぞれについて、各印刷モードで印刷した場合に背景部分２４の画素が所望の黒色に印刷されるように規定した色抜け判別用ビットマップイメージ２０を個別に用意しておく。そして、印刷モード毎に対応する色抜け判別用ビットマップイメージ２０を選択的に使用して、色抜け判別用スタンプマーク１８を印刷する。印刷モード毎に用意された各色抜け判別用ビットマップイメージ２０は、背景部分２４の画素の印刷に用いられるシアン、マゼンダ、イエローの混合比率が相互に異なるものになっている。
【００３９】
（プリンタドライバ）
図３はプリンタドライバ１のブロック図である。プリンタドライバ１は、ディスプレイ１１上に、操作者に各種の設定を入力させるダイアログボックスを表示するとともに、ダイアログボックスに設けられている入力欄に入力された値をカラープリンタ１５の設定値として設定する各種設定入力手段４０を備えている。
【００４０】
各種設定入力手段４０は、アプリケーション１７の印刷データを印刷する際に、印刷モードを指定させる印刷モード指定用ダイアログボックス（印刷モード指定画面）を表示し、印刷用紙１９の種類と解像度および／または印刷速度とを操作者に選択させることにより、選択された印刷モードをカラープリンタ１５の印刷モードとして設定する印刷モード設定手段４１を含むものである。また、印刷用紙１９のサイズ、印刷するスタンプマークの種類、位置、印刷ページ、スタンプマークの印刷に使用するビットマップイメージ等の情報を操作者に入力させ、入力された値をカラープリンタ１５の設定値として設定するものである。
【００４１】
また、プリンタドライバ１は、各印刷モードにおける色抜け判別用スタンプマーク１８の印刷に使用する６つの色抜け判別用ビットマップイメージ２０を各印刷モードに対応づけて記憶保持しているイメージデータ設定記憶手段４２と、プリンタに設定されている印刷モードを検出して、イメージデータ設定記憶手段４２から、検出した印刷モードに対応する一の色抜け判別用ビットマップイメージ２０を選択するイメージデータ選択手段４３と、選択された一の色抜け判別用ビットマップイメージ２０を、各種設定入力手段４０によって表示されるスタンプマーク設定用ダイアログボックス５０のスタンプイメージ表示枠５１内に表示するイメージデータ表示制御手段４４とを備えている。イメージデータ設定記憶手段４２は、後述するスタンプマーク用ファイル指定用ダイアログボックス６１を介して操作者によって入力されるファイル名によって、第１〜第６の６つの印刷モードと色抜け判別用ビットマップイメージ２０とを対応付けて記憶保持している。
【００４２】
さらに、プリンタドライバ１は、アプリケーション１７から出力された印刷データをＯＳ１６（Ｇｒａｐｈｉｃｓ  Ｄｅｖｉｃｅ  Ｉｎｔｅｒｆａｃｅ）を介して取得する印刷データ取得手段４５と、イメージデータ選択手段４３が取得している一の色抜け判別用ビットマップデータと印刷データ取得手段４５が取得した印刷データを合成して、カラープリンタ１５によって印刷される最終的な印刷データである合成印刷データを生成する印刷データ生成手段４６と、カラープリンタ１５を駆動制御して、合成印刷データを印刷する駆動制御手段４７とを備えている。
【００４３】
図４は、各種設定入力手段４０によって、スタンプマークの印刷を設定する際に表示されるスタンプマーク設定用ダイアログボックス５０である。スタンプマーク設定用ダイアログボックス５０は、左上にスタンプマークの印刷イメージを模式的に表示するスタンプマーク表示枠５１が設けられており、その右側に、印刷するスタンプマークを示すマーク名を入力するマーク名入力欄５２、スタンプマークの印刷に使用されるビットマップイメージのファイル名を入力するファイル名入力欄５３と、スタンプマークの印刷ページを指定する印刷ページ指定用のチェック欄５４が設けられている。
【００４４】
マーク名入力欄５２は、プルダウンメニューに登録されている複数のマーク名の中から、マウス１３等を用いて印刷に使用するスタンプマークのマーク名を選択して入力するようになっている。色抜け判別用スタンプマーク１８を指定するマーク名として「ＮＧマーク」が入力されている。なお、プルダウンメニューには、「マル秘」、「重要」、「至急」、「CONFIDENTIAL」等のスタンプマークを印刷するためのスタンプマークのマーク名も登録されている。
【００４５】
ファイル名入力欄５３には、印刷するスタンプマークが単一のビットマップイメージを使用して印刷される場合には、そのビットマップイメージのファイル名を入力する。印刷ページ指定用のチェック欄５４は、そこにチェックを入れると、アプリケーション１７から出力される印刷データによって印刷される印刷ページのうちの１ページ目のみにスタンプマークが印刷されるように設定される。印刷ページ指定用のチェック欄５４にチェックがない初期設定の状態では、全ての印刷ページにスタンプマークが印刷されるように設定されている。
【００４６】
ここで、色抜け判別用スタンプマーク１８は、印刷モード毎に別個に用意された色抜け判別用ビットマップイメージ２０を用いて印刷するものなので、印刷モード毎に使用する色抜け判別用ビットマップイメージ２０を対応づけて記憶する必要がある。従って、ファイル名入力欄５３にはファイル名を入力しないで、マーク名入力欄５２の右側に配置されている追加／削除ボタン６０を押して、スタンプマーク用ファイル指定用ダイアログボックス６１を開く。
【００４７】
図５に示すように、スタンプマーク用ファイル指定用ダイアログボックス６１には、印刷指定されたマーク名が入力されているマーク名入力欄６２と、カラープリンタ１５に搭載されている６つの印刷モードのそれぞれについて、使用する色抜け判別用ビットマップイメージ２０のファイル名を入力するファイル名入力欄６３〜６８が設けられている。本例では、第１の印刷モードである普通紙印刷モードのきれい印刷モードに使用する色抜け判別用ビットマップイメージ２０のファイル名入力欄６３には、NGmark11.bmpが入力されている。第２の印刷モードである普通紙印刷モードのはやい印刷モードのファイル名入力欄６４にはNGmark12.bmpが入力されている。同様に、第３の印刷モードである専用ファイン紙印刷モードのきれい印刷モードのファイル名入力欄６５にNGmark21.bmp、第４の印刷モードである専用ファイン紙印刷モードのはやい印刷モードのファイル名入力欄６６にNGmark22.bmp、第５の印刷モードである専用マット紙印刷モードのきれい印刷モードのファイル名入力欄６７にNGmark31.bmp、第６の印刷モードである専用マット紙印刷モードのはやい印刷モードのファイル名入力欄６８にNGmark32.bmpが入力されている。
【００４８】
入力されたファイル名は、保存ボタン６９を押すことによって、各印刷モードと対応づけられてイメージデータ設定記憶手段４２に記憶保持される。印刷モードと対応づけられて記憶された色抜け判別用ビットマップイメージ２０のファイル名は、次にスタンプマーク用ファイル指定用ダイアログボックス６１が開かれたときには、それぞれ対応するファイル名入力欄６３〜６８に入力されている。なお、削除ボタン９０を押すことによって、イメージデータ設定記憶手段４２が記憶した設定を、一括して削除することができる。
【００４９】
イメージデータ設定記憶手段４２によって印刷モードと色抜け判別用ビットマップイメージ２０とが対応づけられて記憶されると、イメージデータ選択手段４３は、その時点でカラープリンタに設定されている印刷モードを検出して、検出した印刷モードに対応づけられている一の色抜け判別用ビットマップイメージ２０をイメージデータ設定記憶手段４２から選択して、取得する。
【００５０】
また、イメージデータ選択手段４３は、スタンプマーク設定用ダイアログボックス５０のマーク名入力欄５２へ入力されたマーク名によって色抜け判別用スタンプマーク１８を印刷することが設定されている場合には、カラープリンタ１５の印刷モードの設定が、印刷モード指定用ダイアログボックスを介して印刷モード設定手段４１によって変更される度に、対応付けられている色抜け判別用ビットマップイメージ２０を選択し直して、取得する。或いは、プリンタドライバ１がアプリケーション１７から印刷データを受け取る際に、カラープリンタ１５に設定されている印刷モードを検出して、色抜け判別用ビットマップイメージ２０を取得するようになっている。
【００５１】
再び図４に戻って、スタンプマーク設定用ダイアログボックス５０を説明する。スタンプイメージ表示枠５１内には、各種設定入力手段４０によって事前に設定されている印刷用紙１９のサイズから、印刷用紙１９を模式的に示した矩形の領域５１ａが表示されており、その矩形の領域領域５１ａ内には、イメージデータ選択手段４３が取得している一の色抜け判別用ビットマップイメージ２０が、イメージデータ表示制御手段４４によって表示されている。
【００５２】
スタンプイメージ表示枠５１の下方には、スタンプマークの印刷位置を設定する印刷位置入力欄５５、オフセットを設定するスライドバー５６、サイズを設定するスライドバー５７が設けられている。また、右側には、スタンプマークに印刷濃度を設定するスライドバー５８、スタンプマークを印刷用紙１９の前面に印刷するか裏面に印刷するかを選択する選択ボタン５９が設けられている。印刷位置入力欄５５はプルダウンメンニューから選択した印刷位置が入力されるようになっており、プルダウンメニューには、上左、上中央、上右、中央、下左、下中央、下右などが登録されている。
【００５３】
ここで、操作者が、印刷位置入力欄５５へ入力する値を変更したり、スライドバー５６、５７、５８をスライドさせて入力値を変更したりすると、イメージデータ表示制御手段４４は矩形の領域５１ａ内に表示されている色抜け判別用ビットマップイメージ２０の位置や大きさ、濃度を入力された値に対応するように変化させる。従って、操作者は、印刷される色抜け判別用スタンプマーク１８の印刷状態を直感的に把握することができる。
【００５４】
なお、本例では、イメージデータ表示制御手段４４は、イメージデータ選択手段４３が選択した一の色抜け判別用ビットマップイメージ２０を用いて表示しているが、スタンプイメージ表示枠５１に印刷状態を表示するために、表示用色抜け判別用ビットマップイメージを別途用意しておいて、マーク名入力欄５２に色抜け判別用スタンプマーク１８を指定するマーク名の「ＮＧマーク」が入力された場合には、この表示用色抜け判別用ビットマップイメージを表示するようにしてもよい。
【００５５】
次に、スタンプマーク設定用ダイアログボックス５０の略中央には、スタンプマークを印刷するページを設定するためのページ指定ボタン７０が配置されている。このページ指定ボタン７０を押すと、図６に示すスタンプマークページ指定用ダイアログボックス７１が開く。図４に示したスタンプマーク設定用ダイアログボックス５０からでは、スタンプマークを印刷するページについて、初期設定である全ページ印刷と、チェック欄５４のチェックによる１ページ目のみの印刷しか選択できなかったが、スタンプマークページ指定用ダイアログボックス７１からは、アプリケーション１７から出力される印刷データによって印刷される印刷用紙１９の各ページについて、スタンプマークの種類およびスタンプマークの印刷の有無を設定することができる。
【００５６】
スタンプマークページ指定用ダイアログボックス７１の最上位置には、全てのページにスタンプマークを印刷する設定を行なうチェック欄７２が設けられている。初期設定ではこのチェック欄７２にチェックが入っている。その下方には、使用するスタンプマークのマーク名を入力するマーク名入力欄７３があり、ここにマーク名を入力することで印刷するスタンプマークを変更することもできる。スタンプマークページ指定用ダイアログボックス７１が開いた時点では、スタンプマーク設定用ダイアログボックス５０のマーク名入力欄５２に入力されていたマーク名が、マーク名入力欄７３に入力されている。
【００５７】
マーク名入力欄７３の右側には、スタンプマークの印刷を行なわないページを設定するための３つのチェック欄７４、７５、７６が設けられている。これら３つのチェック欄７４、７５、７６は、全てのページにスタンプマークを印刷する設定を行なうチェック欄７２にチェックが入っている場合に、チェックすることが可能になっている。
【００５８】
上段にあるチェック欄７４をチェックすると、最初のページをスタンプマークの印刷ページから除外する。中断にあるチェック欄７５をチェックすると、最後のページをスタンプマークの印刷ページから除外する。下段にあるチェック欄７６をチェックすると、その下方にあるページ番号入力欄に入力したページをスタンプマークの印刷ページから除外する。ページ番号入力欄７７は、除外するページのページ番号をカンマで区切って入力することにより、複数のページを指定できるようになっている。また、ページ番号とページ番号との間にハイフンを入れて入力することで、入力されたページ番号からページ番号までの範囲を指定できるようになっている。さらに、ページ番号とその右隣にハイフンを入力すると、入力されたページ以降の範囲を指定できるようになっている。
【００５９】
ここで、３つのチェック欄７４、７５、７６は複数チェックすることが可能なので、操作者は、スタンプマークの印刷ページから除外するページを柔軟に設定できる。
【００６０】
これらのチェック欄７２、７４、７５、７６の下方には、スタンプマークを印刷するページを指定するための５つのチェック欄８１〜８５が設けられている。第１のチェック欄８１をチェックすることによって、最初のページにスタンプマークを印刷する設定を行なう。第２のチェック欄８２をチェックすることによって、最後のページにスタンプマークを印刷する設定を行なう。第３のチェック欄８３をチェックすることによって、偶数番目のページにスタンプマークを印刷する設定を行なう。第４のチェック欄８４をチェックすることによって、奇数番目のページにスタンプマークを印刷する設定を行なう。第５のチェック欄８５をチェックすることによって、指定したページにスタンプマークを印刷する設定を行なう。スタンプマークを印刷するページの指定は、それぞれ用意されているページ番号入力欄７７にページ番号を入力することによって行なう。
【００６１】
各チェック欄８１〜８５には、印刷するスタンプマークのマーク名を入力するマーク名入力欄７３が設けられている。マーク名入力欄７３に、スタンプマーク設定用ダイアログボックス５０のマーク名入力欄５２に入力されたスタンプマークのマーク名とは異なるマーク名が入力されると、各チェック欄８１〜８５によって設定されたページには、マーク名入力欄７３に入力されたマーク名のスタンプマークが印刷されるように設定される。このような設定を行なえば、アプリケーション１７から出力された印刷データを印刷する際に、ページ毎に異なるスタンプマークを印刷することも可能である。
【００６２】
なお、操作者の入力によって、同一のページに複数のスタンプマークを印刷するように設定された場合には、第５のチェック欄８５のマーク名入力欄７３で指定されたスタンプマークが最も優先されて印刷される。それ以降は、第４、第３、第２、第１のチェック欄のマーク名入力欄７３で指定されたスタンプマークが、この順番で優先されて印刷される。
【００６３】
（色抜け判別用スタンプマークの印刷例）
次に、図７、８を参照して、アプリケーション１７から出力された印刷テータの印刷に重ね合わせて、色抜け判別用スタンプマーク１８を印刷した印刷例を説明する。
【００６４】
使用しているアプリケーション１７は、物品管理用のアプリケーションであり、物品を複数のＡ、Ｂ、Ｃ、Ｄの４つの倉庫に分散して保管する際に、各倉庫への物品の配送を担当する４人の配送担当者を表示する配送担当者ラベル９１と、物品を梱包した段ボールの表面に貼る物品管理用ラベル９２を印刷するための印刷データを出力するものである。出力される印刷データによって行なわれる１回の印刷ジョブにおいて、１ページ目から４ページ目までにＡ〜Ｄ倉庫への配送担当者を表示する４枚の配送担当者ラベル９１が印刷される。５ページ目以降には梱包された物品を管理するための管理情報が記載された物品管理用ラベル９２が印刷される。物品管理用ラベル９２の枚数は、その日に保管する物品の種類や梱包数が変化することによって、増減する。なお、印刷に用いられる印刷用紙１９の表面は白色である。
【００６５】
配送担当者ラベル９１に印刷される印刷データには、配送年月日、保管場所の倉庫名、配送担当者の氏名、倉庫の住所の情報が含まれている。物品管理用ラベル９２に印刷される印刷データには、梱包された物品の物品名、梱包された数量、倉庫での保管期間、物品を管理する管理責任者、保管場所の倉庫名、およびこれらの情報を特定するためのバーコードの情報が含まれる。また、印刷用紙１９の上下の縁部分９５に印刷される管理色の情報が含まれる。管理色とは、物品の配送担当者が保管場所の倉庫名を把握するのが容易なように、倉庫名にあらかじめ割り当てられた色であり、Ａ倉庫に赤色、Ｂ倉庫に青色、Ｃ倉庫に黄色、Ｄ倉庫に緑色が割り当てらている。
【００６６】
ここで、カラープリンタ１５の印刷モードは、印刷モード指定用ダイアログボックスを介して操作者によって入力された値によって、事前に、第２の印刷モードである普通紙印刷モードのきれい印刷モードに設定されている。また、イメージデータ選択手段４３は、この印刷モードを検出して、スタンプマーク用ファイル指定用ダイアログボックス６１を介して設定されたファイル名NGmark12.bmpのビットマップイメージを、この印刷モードで使用する色抜け判別用ビットマップイメージ２０として取得している。
【００６７】
さらに、スタンプマーク設定用ダイアログボックス５０の印刷位置入力欄５５には、操作者によって、「右下」が入力されており、この値によって、色抜け判別用スタンプマーク１８の印刷位置がページの右下に設定されている。また、操作者によって、スタンプマークページ指定用ダイアログボックス７１において、全てのページにスタンプマークを印刷する設定を行なうチェック欄７２と、指定したページをスタンプマークを印刷するページから除外する設定を行なうチェック欄７６にチェックがつけられており、除外するページを指定するページ番号入力欄７７には、「１−４」と入力されている。これらの入力によって、１ページから４ページまでには、色抜け判別用スタンプマーク１８は印刷されずに、５ページ以降に印刷されるように設定されている。
【００６８】
このような設定の下、プリンタドライバ１が、物品管理用アプリケーション１７から物品管理用ラベル９２を印刷するための印刷データを受け取ると、印刷データ生成手段４６は、受け取った印刷データとイメージデータ選択手段４３が取得しているファイル名NGmark12.bmpの色抜け判別用ビットマップイメージ２０とを合成して、合成印刷データを生成する。すなわち、印刷データを用いて印刷されるページをカウントして、５ページ目以降の印刷データについて、印刷用紙１９の右下位置に色抜け判別用スタンプマーク１８が印刷されるように、印刷データと色抜け判別用ビットマップイメージ２０とを合成する。合成印刷データが生成されると、駆動制御手段４７がカラープリンタ１５を駆動制御して、合成印刷データを印刷する。
【００６９】
図７は、本例の印刷結果である。１ページから４ページの配送担当者ラベル９１には、配送年月日、配送担当者の氏名、保管場所の倉庫名およびその住所が印刷されている。５ページ以降の物品管理用ラベル９２には、印刷用紙１９の中央位置に、梱包された物品の物品名、梱包された数量、倉庫での保管期間、物品を管理する管理責任者、保管場所の倉庫名、およびバーコードが黒色で印刷されている。印刷用紙１９の上下の縁部分９５には、保管場所の倉庫名に割り当てられた管理色が印刷されている。すなわち、５ページ目の上下の縁部分９５にはＡ倉庫を示す赤色が印刷され、６ぺージ目の上下の縁部分９５にはＣ倉庫を示す黄色が印刷されている。また、印刷用紙１９の右下位置には、矩形の色抜け判別用スタンプマーク１８が印刷されている。
【００７０】
本例では、第２の印刷モードに対応付けられている色抜け判別用ビットマップイメージ２０を用いて色抜け判別用スタンプマーク１８が印刷されているので、色抜けが発生していない図７の印刷状態では、印刷された色抜け判別部２１ａと背景部２４ａとは単一の印刷色の黒色になっており、「ＮＧ」の文字２２の印刷部２２ａを目視により識別することはできない。
【００７１】
次に、５ページ目の物品管理用ラベル９２を印刷する際に、マゼンダが色抜けした例を図８に示す。管理色が印刷される印刷用紙１９の上下の縁部分９５には、Ａ倉庫を示す管理色の赤色ではなく、黄色が印刷されている。本来印刷されるべき赤色は、マゼンダとイエローの色インクを用いて印刷されるので、マゼンダが色抜けすることによってイエローの色インクのみで印刷された結果、黄色になっている。
【００７２】
この時、色抜け判別用スタンプマーク１８は、黒色で印刷された「ＮＧ」の文字２２の印刷部２２ａが、目視により識別できるようになっている。すなわち、マゼンダが色抜けした印刷状態では、色抜け判別部２１ａの印刷色は黒色になるが、背景部２４ａの印刷色は黒色ではなく緑色になるので、「ＮＧ」の文字２２の印刷部２２ａが目視により識別できる。
【００７３】
このような色抜け判別用スタンプマーク１８が印刷された物品管理用ラベル９２を見た配送担当者は、色抜けが発生したことを容易に判別できるので、印刷用紙１９の上下の縁部分９５に印刷された黄色に惑わされることなく、印刷用紙１９の中央に記載されている保管場所の倉庫Ａという記載に基づいて、正確に梱包物をＡ倉庫に配送することができる。
【００７４】
（その他の実施の形態）
本例では、アプリケーション１７から受け取った印刷データを印刷する際に、印刷データと共に色抜け判別用スタンプマーク１８を印刷するようにしているが、色抜け判別用スタンプマーク１８のみを印刷できるようにしてもよい。このようにすれば、コンピュータシステム１０への電源投入時など、システムが初期状態の時に色抜けが発生しているか、否かを判別することができるので、便利である。
【００７５】
また、本例のイメージデータ設定記憶手段４２では、印刷モード毎に異なる色抜け判別用ビットマップイメージ２０が対応付けられて記憶保持されているが、異なる印刷モードで印刷した場合であっても、印刷された色抜け判別部２１ａと背景部２４ａとが同一の印刷色になる色抜け判別用ビットマップイメージ２０があれば、当該色抜け判別用ビットマップイメージを、異なる前記２つの印刷モードのそれぞれに対応づけて記憶保持しておいてもよい。
【００７６】
さらに、本例では、色抜け判別用ビットマップイメージ２０の色抜け判別部分２１を構成する画素をブラックの色インクを用いて印刷される画素として、背景部分２４を構成する画素を、シアン、マゼンダ、イエローの３色の色インクを用いて印刷される画素としているが、これとは逆に、色抜け判別部分２１を構成する画素を、シアン、マゼンダ、イエローの３色の色インクを用いて印刷される画素として、背景部分２４を構成する画素をブラックの色インクを用いて印刷される画素とすることもできる。この場合にも、印刷モード毎に色抜け判別用ビットマップイメージを記憶保持しておけばよい。
【００７７】
また、色抜けが無い印刷状態における色抜け判別用スタンプマーク１８の色抜け判別部２１ａおよび背景部２４ａの印刷色を、黒色ではなく、灰色とすることもできる。
【００７８】
さらに、色抜け判別部分２１を構成する画素および背景部分２４を構成する画素の印刷に用いる色インクは、ブラック、シアン、マゼンダ、イエローの４色の色インクに限定されるものではない。例えば、ブラック、ライトシアン、ライトマゼンダ、イエローの４色の色インクを用いて色抜け判別用スタンプマーク１８を印刷するようにして、色抜け判別部分２１を構成する画素をブラックの色インクを用いて印刷される画素として、背景部分２４を構成する画素をライトシアン、ライトマゼンダ、イエローの色インクを用いて印刷される画素とすることもできる。この場合には、色抜けが無い印刷状態における色抜け判別用スタンプマーク１８の色抜け判別部２１ａおよび背景部２４ａの印刷色を黒色または灰色とすることができる。
【００７９】
また、一色の色インクを用いた印刷色と、この一色の色インクとは異なる色の複数の色インクを組み合わせた印刷色とを同色にすることができる色インクの組み合わせがあれば、そのような色インクによって印刷される画素によって色抜け判別部分２１と背景部分２４とを構成した色抜け判別用ビットマップイメージ２０を用いて、色抜け判別用スタンプマークを印刷することもできる。
【００８０】
また、上記の例ではカラープリンタ１５としてインクジェットカラープリンタを用いているが、これ以外の印刷方式のカラープリンタ１５を用いる場合にも本発明を適用できる。例えば、色インクの代わりに、色トナーを用いたレーザプリンタや熱転写色リボンを用いたサーマルプリンタを用いる場合にも同様に適用可能である。
【００８１】
さらに、上記の例では色抜け判別部分２１に「ＮＧ」の文字２２を用いているが、一目で正常な印刷が行なわれていないことを識別できるような記号や図形を用いればよい。
【図面の簡単な説明】
【００８２】
【図１】本発明のプリンタドライバを搭載するコンピュータシステムの構成図である。
【図２】色抜け判別用ビットマップイメージと、その印刷状態を示す説明図である。
【図３】本発明のプリンタドライバのブロック図である。
【図４】スタンプマーク設定用ダイアログボックスの説明図である。
【図５】スタンプマーク用ファイル指定用ダイアログボックスの説明図である。
【図６】スタンプマークページ設定用ダイアログボックスの説明図である。
【図７】アプリケーションソフトからの印刷データに重ね合わせて色抜け判別用スタンプマークを印刷した印刷例を示す説明図である。
【図８】図７に示す印刷例において、色抜けした場合の印刷状態を示すための説明図である。
【符号の説明】
【００８３】
１・プリンタドライバ、１０・コンピュータシステム、１１・ディスプレイ、１２・キーボード、１３・マウス、１４・コンピュータ、１５・カラープリンタ、１６・オペレーティングシステム、１７・アプリケーション、１８・色抜け判別用スタンプマーク、１９・印刷用紙、２０・抜け判別用ビットマップイメージ、２１・色抜け判別部分、２１ａ・色抜け判別部、２２・「ＮＧ」の文字、２２ａ・印刷部、２３・矩形の枠、２４・背景部分、２４ａ・背景部、３０〜３４印刷状態、４０・各種設定入力手段、４１・印刷モード設定手段、４２・イメージデータ設定記憶手段、４３・イメージデータ選択手段、４４・イメージデータ表示制御手段、４５・印刷データ取得手段、４６・印刷データ生成手段、４７・駆動制御手段、５０・スタンプマーク設定用ダイアログボックス、５１・スタンプイメージ表示枠、５１ａ・矩形の領域、５２，６２，７３・マーク名入力欄、５３，６３〜６８・ファイル名入力欄、５４，７２〜７６，８１〜８５・チェック欄、５５・印刷位置入力欄、５６，５７，５８・スライドバー、５９・選択ボタン、６０・追加／削除ボタン、６１・スタンプマーク用ファイル指定用ダイアログボックス、６９・保存ボタン、７０・ページ指定ボタン、７１・スタンプマークページ指定用ダイアログボックス、７２〜７６，８１〜８５・チェック欄、９０・削除ボタン、９１・配送担当者ラベル、９２・物品管理用ラベル、９５・上下の縁部分
【図１】
2008090579.tif 000003
【図２】
2008090579.tif 000004
【図３】
2008090579.tif 000005
【図４】
2008090579.tif 000006
【図５】
2008090579.tif 000007
【図６】
2008090579.tif 000008
【図７】
2008090579.tif 000009
【図８】
2008090579.tif 000010